(57)【要約】【課題】補強用の別部材を必要とせず、しかも、液体を充填した袋などを収納して数段で積み重ねた場合にも側壁板が座屈及び胴膨れし難い段ボール箱を提供する。【解決手段】互いに対向する側壁板２を連接した筒状本体１０と、その筒状本体の開口部を閉じるべく側壁板２の両端から連設されたフラップとを備え、筒状本体１０と少なくとも上方の開口部を閉じるフラップとの間に設けられた横折り曲げ部Ｑに、筒状本体１０とフラップの境界線から上下に離間した位置で２列状に延びる二重折り曲げ部による機能領域Ｇが設けられている段ボール箱とした。【選択図】図１
2013136412.tif 000002
【特許請求の範囲】
【請求項１】
互いに対向する側壁板を連接した筒状本体と、その筒状本体の開口部を閉じるべく前記側壁板の両端から連設されたフラップとを備え、
前記筒状本体と少なくとも上方の前記開口部を閉じる前記フラップとの間に設けられた横折り曲げ部に、前記筒状本体と前記フラップの境界線から上下に離間した位置で２列状に延びる二重折り曲げ部が設けられている段ボール箱。
【請求項２】
前記横折り曲げ部が前記境界線に沿って左右に並設された２つの二重折り曲げ部を備えている請求項１に記載の段ボール箱。
【請求項３】
前記横折り曲げ部が、前記フラップの左右両端部から１列状に延びる一対の単線折り曲げ部と、前記一対の単線折り曲げ部の間に配置された前記二重折り曲げ部を備えている請求項２に記載の段ボール箱。
【請求項４】
前記筒状本体と下方の前記開口部を閉じる前記フラップとの間に設けられた横折り曲げ部にも、上方の前記二重折り曲げ部と対向する二重折り曲げ部が設けられている請求項１から３のいずれか一項に記載の段ボール箱。
【請求項５】
横向きに延び、且つ、上下の前記二重折り曲げ部から上下方向の内側に離間した一対の補助折り曲げ部が前記側壁板に設けられている請求項４に記載の段ボール箱。
【請求項６】
前記フラップが、箱の内側に配置される内フラップと外側に配置される外フラップとを備え、前記内フラップと前記側壁板の間の横折り曲げ部が、前記外フラップと前記側壁板の間の横折り曲げ部に比して上下方向内側に変位して配置されている請求項１から５のいずれか一項に記載の段ボール箱。
【発明の詳細な説明】
【技術分野】
【０００１】
本発明は、互いに対向する側壁板を連接した筒状本体と、その筒状本体の開口部を閉じるべく前記側壁板の両端から連設されたフラップとを備えた段ボール箱に関する。
【背景技術】
【０００２】
この種の段ボール箱に関連する先行技術文献情報として下記に示す特許文献１がある。この特許文献１に記された段ボール箱は、樹脂製などの低剛性の袋を内部に装着し、同袋の内部に液体を充填し、そのように液体を袋に充填した段ボール箱どうしを上下に積み重ねた状態で搬送乃至は保管するという使用形態をも想定している。
【０００３】
特許文献１は、このような使用形態において、充填液体の自重の作用で側壁板の中程が外側に胴膨れ状に膨れ、特に、数段で積み重ねた場合に下段の段ボール箱が上段の段ボールからの荷重をも受けることで崩壊する問題を解決課題としている。
【０００４】
特許文献１は、この課題を解決する目的で、袋の上下方向中程外周面を覆う補強用の四角形環状の段ボール製帯部材を段ボール箱の内部に配置した構成としている。
【先行技術文献】
【特許文献】
【０００５】
【特許文献１】特開２０００−７２１７７号公報（００段落、図２）
【発明の概要】
【発明が解決しようとする課題】
【０００６】
しかし、特許文献１に記された段ボール箱では、四角形環状の段ボール製帯部材を補強用の別部材として設ける必要があるため、段ボール箱のコストアップを余儀なくされるという問題があった。
【０００７】
また、特許文献１に記された段ボール箱では、液体の自重による側壁板の中程の膨れを四角形環状の段ボール製帯部材によって阻止できても、段ボール箱を数段で積み重ねた場合には、特に段ボール製帯部材によって支持されない部位において、側壁板が座屈し易く、同座屈が４つの側壁板において不均等に生じることによって、積み重ねた段ボール箱が崩壊する虞があった。
【０００８】
そこで、本発明の目的は、上に例示した従来技術による段ボール箱が与える課題に鑑み、補強用の別部材を必要とせず、しかも、液体を充填した袋などを収納して段ボール箱を数段で積み重ねた場合にも側壁板が座屈及び胴膨れし難い段ボール箱を提供することにある。
【課題を解決するための手段】
【０００９】
本発明による段ボール箱の第一の特徴構成は、
互いに対向する側壁板を連接した筒状本体と、その筒状本体の開口部を閉じるべく前記側壁板の両端から連設されたフラップとを備え、
前記筒状本体と少なくとも上方の前記開口部を閉じる前記フラップとの間に設けられた横折り曲げ部に、前記筒状本体と前記フラップの境界線から上下に離間した位置で２列状に延びる二重折り曲げ部が設けられている点にある。
【００１０】
上記の特徴構成による段ボール箱では、筒状本体と少なくとも上方の開口部を閉じるフラップとの間に設けられた横折り曲げ部に、筒状本体とフラップの境界線から離間した位置で２列状に延びる二重折り曲げ部が設けられているので、段ボール箱を組み立てるべく上方のフラップを側壁板に対して内側に折り曲げると、この二重折り曲げ部で囲まれた領域が、上方のフラップと側壁板との双方からの引っ張り力によって、概して鉛直方向に延びる筒状本体と概して水平方向に延びる上方のフラップとのいずれに対しても傾斜した傾斜領域となる。
【００１１】
このような傾斜領域が形成されるので、傾斜面の内側の境界に相当する二重折り曲げ部の左右中心部位が、段ボール箱の外側に向けて均等に押出される結果、各側壁板には二重折り曲げ部の左右中心部位から下向きに延びた直線状の縦向き稜線が形成される。このように生じる縦向き稜線の作用によって、特に上下方向からの圧力に対する座屈抵抗の高い側壁板を備え、段ボール箱を数段で積み重ねた場合にも側壁板が座屈し難い段ボール箱が、補強用の別部材を用いることなく得られる。
【００１２】
本発明の他の特徴構成は、前記横折り曲げ部が前記境界線に沿って左右に並設された２つの二重折り曲げ部を備えている点にある。
【００１３】
本構成であれば、横折り曲げ部に沿ってフラップを側壁板に対して内側に折り曲げたとき、側壁板には左右に並設された２つの傾斜領域が形成される。その結果、互いに左右に離間した２本の縦向き稜線が側壁板に生じることになるため、側壁板が形成する筒状体の少なくとも上方の水平断面が１２角形を呈するものとなり、上下方向からの圧力に対する座屈抵抗が特に高い段ボール箱が得られる。
【００１４】
本発明の他の特徴構成は、前記横折り曲げ部が、前記フラップの左右両端部から１列状に延びる一対の単線折り曲げ部と、前記一対の単線折り曲げ部の間に配置された前記二重折り曲げ部を備えている点にある。
【００１５】
本構成であれば、二重折り曲げ部の一端がフラップの左右両端部に位置している構成などに比して、段ボール箱のコーナー部には少なくとも鋭い稜線が生じないため、コーナー部の強度が保たれ、且つ、優れた外観が得られ易い。
【００１６】
本発明の他の特徴構成は、前記筒状本体と下方の前記開口部を閉じる前記フラップとの間に設けられた横折り曲げ部にも、上方の前記二重折り曲げ部と対向する二重折り曲げ部が設けられている点にある。
【００１７】
本構成であれば、上下のフラップを側壁板に対して内側に折り曲げたとき、側壁板の上下に傾斜領域が形成されるため、上下に延びる縦向き稜線が側壁板の上下中心に関して対称に生じるため、さらに上下方向からの圧力に対する座屈抵抗が高い段ボール箱が得られる。
【００１８】
本発明の他の特徴構成は、横向きに延び、且つ、上下の前記二重折り曲げ部から上下方向の内側に離間した一対の補助折り曲げ部が前記側壁板に設けられている点にある。
【００１９】
本構成であれば、側壁板の上下左右の中央部付近に、左右一対の縦向き稜線と上下一対の補助折り曲げ部とで囲まれる比較的明確な矩形を呈した膨出領域が形成されるため、縦向き稜線の断面形状や長さが複数の側壁板の間で均等になり易くなる。その結果、外観に優れ、且つ、多数段で積載しても崩れ難い段ボール箱が得られる。
【００２０】
本発明の他の特徴構成は、前記フラップが、箱の内側に配置される内フラップと外側に配置される外フラップとを備え、前記内フラップと前記側壁板の間の横折り曲げ部が、前記外フラップと前記側壁板の間の横折り曲げ部に比して上下方向内側に変位して配置されている点にある。
【００２１】
本構成であれば、組み立てに際して、互いに隣接するフラップどうしがコーナー部で干渉し合うことが解消される。すなわち、先ず２枚の内フラップを内側に折り曲げ、その後、２枚の外フラップを内側に折り曲げれば、コーナー部に歪みを生じるという問題や、先に折り曲げた一対のフラップが、後で折り曲げた一対のフラップによって上方に跳ね上げられ、収納する内装袋の一部がフラップの先端どうしの間に挟まれる等の問題が避けられる。
【図面の簡単な説明】
【００２２】
【図１】本発明に係る段ボール箱の使用状況を示す外観斜視図である。
【図２】本発明に係る段ボール箱の別の使用状況を示す外観斜視図である。
【図３】本発明に係る段ボール箱を展開した状態を示す説明図である。
【図４】本発明に係る段ボール箱を上方及び正面から見た外観を示す説明図である。
【図５】本発明に係る段ボール箱を積載した状態を示す断面図である。
【図６】横折り曲げ部の別実施形態を示す説明図である。
【発明を実施するための形態】
【００２３】
以下に本発明を実施するための形態について図面を参照しながら説明する。
本発明に係る段ボール箱１は、図１によって説明されるように、特に、液体などが充填された内装袋２０を内部に収納するためのバッグインボックスとして用いることができるが、内部に収納する対象物はこれに限定されるものではない。
【００２４】
図２（ａ）は、搬送乃至は保管の目的で、液体などが充填された内装袋２０を内部に収納し、閉じられた段ボール箱１の状態を示す。
図２（ｂ）は、閉じられた段ボール箱１の上部フラップの切り取り部１Ａを切り取ることで形成される開口部１Ｈから、内装袋２０の液体取り出し口２０Ａを露出させた状態を示す。
【００２５】
図３は段ボール箱１を組み立てる前の展開図を示している。
図３に示すように、段ボール箱１は互いに横向きに連接された４つの側壁板２（２Ａ，２Ｂ，２Ｃ，２Ｄ）と、各側壁板２の下端から連設された４つの下部フラップ３（３Ａ，３Ｂ，３Ｃ，３Ｄ）と、側壁板２の上端から連設された４つの上部フラップ４（４Ａ，４Ｂ，４Ｃ，５Ｄ）と、最も左側の側壁板２Ａから側方に連接された連結板５とを備える。
【００２６】
４つの側壁板２どうしの間、及び、最も左側の第１側壁板２Ａと連結板５との間には、１列状で縦向きに延びた縦折り曲げ部Ｐが形成されている。
互いに隣接する側壁板２どうしを、図１の紙面が外側になるように各縦折り曲げ部Ｐに沿って折り曲げ、連結板５を最も右側の第４側壁板２Ｄの内側に糊付けすると、４つの側壁板２によって、矩形の断面形状の開口部を上下に備えた筒状本体１０が形成される。
【００２７】
４つの側壁板２と４つの下部フラップ３との間、及び、４つの側壁板２と４つの上部フラップ４との間には、概して横向きに延びた横折り曲げ部Ｑが形成されている。
各下部フラップ３を上方で隣接した側壁板２に対して横折り曲げ部Ｑに沿って折り曲げると、筒状本体１０の下方の開口部が閉じられ、各上部フラップ４を下方で隣接した側壁板２に対して横折り曲げ部Ｑに沿って折り曲げると、筒状本体１０の上方の開口部が閉じられる。
【００２８】
図３に例示されるように、横折り曲げ部Ｑは、横向きに１列状に延びる３箇所の単線折り曲げ部６（６Ｌ，６Ｒ）と、横向きに２列状に延びる２箇所の二重折り曲げ部（７Ｌ，７Ｒ，８Ｌ、８Ｒ）とを備えている。
単線折り曲げ部６は、各フラップ３，４の左側端部から内側（右側）に向かって１列状に延びる左単線折り曲げ部６Ｌと、各フラップ３，４の右側端部から内側（左側）に向かって１列状に延びる右単線折り曲げ部６Ｒと、左右の二重折り曲げ部７，８の間に位置する中央単線折り曲げ部６Ｃとを有する。
【００２９】
二重折り曲げ部７，８は、左右の単線折り曲げ部６の間で内向きに突出した円弧状に延びる下二重折り曲げ部７と、左右の単線折り曲げ部６の間で外向きに突出した円弧状に延びる上二重折り曲げ部８とを有する。
仮に、筒状本体２と上下のフラップ３，４との境界に沿って一直線状に延びる仮想境界線Ｔ（境界線の一例）を設定すると、展開図では、下二重折り曲げ部７と上二重折り曲げ部８は、仮想境界線Ｔに関して上下対称の形状となるように、仮想境界線Ｔから上下に同等に離間した位置で延びている。
【００３０】
上下で対向する下二重折り曲げ部７と上二重折り曲げ部８とは互いに協働して上下方向に均等に膨らんだ凸レンズ状の機能領域Ｇを形成している。２つの機能領域Ｇが仮想境界線Ｔに沿って左右に並設されている。機能領域Ｇの仮想境界線Ｔに沿った幅Ｌ１の上下方向の幅Ｌ２に対する割合すなわちＬ１／Ｌ２は図では約３．０に設定されているが、同割合は１．０〜１０．０の範囲内であればよい。
また、領域の仮想境界線Ｔに沿った幅Ｌ１の、独立した各単線折り曲げ部６Ｌ，６Ｃ，６Ｒの長さＬ３に対する割合すなわちＬ１／Ｌ３は図では約２．０に設定されているが、同割合は１．０〜３．５の範囲内であればよい。
【００３１】
また、各側壁板２の一部には、横向きに延び、互いに上下に離間した一対の補助横折り曲げ部Ｒ（補助折り曲げ部の一例）が設けられている。
図３に示すように、補助横折り曲げ部Ｒは、上下の横折り曲げ部Ｑよりも内側に所定距離だけ離れた上下位置で、各側壁板２における横方向の中心から縦折り曲げ部Ｐよりも手前の位置まで延びている。補助横折り曲げ部Ｒの左右の端部から縦折り曲げ部Ｐと平行に延びる仮想線（不図示）は、左右の機能領域Ｇの中心付近を通る。
【００３２】
第３上部フラップ４Ｃの中央付近には、必要に応じて前述した開口部１Ｈを形成するための円形の切り取り部１Ａが形成されている。切り取り部１Ａはミシン線などで構成された環状の切り取り線Ｋによって作られている。
尚、段ボール箱１は、１層または２層の段ボールによって構成されており、段ボールは層を構成する表裏の紙製ライナーの間に接着されたコルゲート状の中芯の波型断面がフラップ３，４の上下両端に見られる方向で用いられている。
【００３３】
図３に示される展開状の組み立て前の段ボールを、適当な２箇所の縦折り曲げ部Ｐのみで折り曲げ、連結板５と最も右側の第４側壁板２Ｄとの２部分のみを互いに糊付けした平坦な状態で保管することも可能である。
連結板５と最も右側の第４側壁板２Ｄとのみが互いに糊付けされた状態から、使用形態の段ボール箱１を組み立てる際は、先ず、４つの側壁板２によって上下に開口部を備えた筒状本体１０を作り、次に、下方の開口部を閉じるために、横折り曲げ部Ｑに沿って下部フラップ３を内側に折り曲げる。
【００３４】
なお、図３の部分拡大図に例示するように、第２下部フラップ３Ｂと第４下部フラップ３Ｄの仮想境界線Ｔ１及び横折り曲げ部Ｑは、第１下部フラップ３Ａと第３下部フラップ３Ｃの仮想境界線Ｔ２及び横折り曲げ部Ｑよりも２〜５ｍｍ程度内側に形成されている。上部フラップ４も同様の構成を備える。これによって、組み立てに際して、互いに隣接するフラップ３（４）どうしがコーナー部で干渉し合うことが解消される。
【００３５】
すなわち、先ず第２下部フラップ３Ｂ及び第４下部フラップ３Ｄ（内フラップの一例）が内側に折り曲げられ、その後、第１下部フラップ３Ａ及び第３下部フラップ３Ｃ（外フラップの一例）が折り曲げられれば、コーナー部に歪みを生じるという問題や、先に折り曲げた一対の下部フラップ３が、後で折り曲げた一対の下部フラップ３によって上方に跳ね上げられる等の問題が避けられる。
【００３６】
後から折り曲げた一対の第１下部フラップ３Ａと第３下部フラップ３Ｃとは、メルト接着や接着テープなどによって連結される。図１に示される段ボール箱１は第１下部フラップ３Ａと第３下部フラップ３Ｃとの相互連結が完了した状態である。
【００３７】
図２（ａ）は、下部フラップ３が閉じられた段ボール箱１に液体などを充填した内装袋２０を収納した後に、上部フラップ４によって筒状本体１０の上方の開口部を閉じた段ボール箱１の外観を示す。上部フラップ４についても、先ず第２上部フラップ４Ｂと第４上部フラップ４Ｄとが内装袋２０の上面に向けて内側に折り曲げられ、その後、第１上部フラップ４Ａと第３上部フラップ４Ｃとが、折り曲げ済みの第２上部フラップ４Ｂと第４上部フラップ４Ｄとの上面に向けて内側に折り曲げられる。
【００３８】
図２（ａ）及び図４に示すように、各フラップ３，４を各側壁板２に対して概して直角となるように内側に折り曲げると、横折り曲げ部Ｑのうち、二重折り曲げ部７，８によって囲まれた機能領域Ｇは、フラップ３，４と側壁板２との双方からの引っ張り力によって、縦折り曲げ部Ｐと横折り曲げ部Ｑのいずれに対しても略同等に傾斜した湾曲傾斜面Ｆ（傾斜領域の一例）を形成する。
湾曲傾斜面Ｆは、円柱体の一部ではなく球体の一部からなる三次元形状、より具体的には、段ボール箱１の中心寄りに突出した部分球状の三次元形状を備えるので、種々の角度からの外力に対して高い強度を有する。
【００３９】
このような高い強度を持つ湾曲傾斜面Ｆが鉛直方向に対して傾斜状に形成されるので、湾曲傾斜面Ｆの内側の境界に相当する二重折り曲げ部７の左右中心部位が、段ボール箱１の外側に向けて均等に押出される。
その結果、各側壁板２には、上下に２箇所存在する二重折り曲げ部７の左右中心部位どうしを上下に結ぶように、互いに左右に離間した一対の直線状の縦向き稜線ＶＰが形成される。
【００４０】
図４（ａ）から理解されるように、各側壁板２を略３分割する縦向き稜線ＶＰによって、上下のフラップ３，４が閉じられた状態の段ボール箱１を上方から見ると１２角形の断面形状を有する。このような、縦向き稜線ＶＰの作用によって、特に上下方向からの圧力に対する座屈抵抗の高い側壁板２を備えた段ボール箱１が得られる。
【００４１】
特に本実施形態では、各側壁板２には外側に突出する曲げ癖を持つ上下の補助横折り曲げ部Ｒが形成されているので、縦向き稜線ＶＰの形成に起因して、上下の補助横折り曲げ部Ｒに沿って延びる横向き稜線ＶＨも形成される。
その結果、左右一対の縦向き稜線ＶＰと上下一対の横向き稜線ＶＨとによって囲まれた矩形状の領域が、各側壁板２の上下左右の中央部で外側に突出する矩形膨出領域Ｗを形成する。
また、湾曲傾斜面Ｆの上下内側部位または横折り曲げ部Ｑと矩形膨出領域Ｗとの間の領域は、鉛直な矩形膨出領域Ｗと湾曲傾斜面Ｆとの中間の角度で傾斜する傾斜連結部Ｊを形成する。
【００４２】
このように各側壁板２の中央部が矩形膨出領域Ｗとなって外側に強制的に押出されることで、各側壁板２の略全面に均等な張力が生じるため、側壁板２は上下以外の方向からの圧力に対する座屈抵抗も高くなる。
また、各側壁板２の上下左右の中央部で外側に突出する矩形膨出領域Ｗを有することで、各コーナー部が丸みを備えた内装袋２０の外形にフィットし易い内面形状の段ボール箱１が得られる。
【００４３】
なお、２列状に延びる２箇所の二重折り曲げ部７，８の形状は、折り曲げる線が２つに分かれていればよく、図示されるものに特に限定されるものではない。例えば、二重折り曲げ部７Ｌと８Ｌは、互いに平行部分があってもよいが、平行部分はなくそれぞれ弧を描くように形成されていてもかまわない。
また、二重折り曲げ部を構成する曲線は必ずしも円弧には限らず、円弧以外の曲線によって構成されていてもよく、更に、必ずしも曲線によって構成される必要はなく、複数の直線どうしが接続された形態でもよい。
【００４４】
図５（ａ）は、加熱消毒操作から間もない高温の液体を充填した内装袋２０を段ボール箱１に詰め、保管または搬送の目的で２段に積載した状態を示す。
内装袋２０内の高温の液体は、混入される蒸気その他の気体によって膨張した状態になっており、積載直後から始まる放冷現象（液温の低下）に基づいて、液体及び内装袋２０の見掛け体積は次第に縮まる。
【００４５】
最終的に液温が室温付近まで下がった時点では、図５（ｂ）に示すように内装袋２０の上面が液面と共に低下した状態となるため、段ボール箱１の内部の天井面と内装袋２０の上面との間に空間Ｓが生じ、特に下段の段ボール箱１は上段に積まれた段ボール箱１の荷重を受けている。
【００４６】
しかし、各側壁板２の中央部付近は、前述した左右一対の縦向き稜線ＶＰまたは矩形膨出領域Ｗによって効果的に補強されているため座屈などすることはない。また、各側壁板２の上下の端部も、段ボール箱１を組み立て完了時から既に内側に一定の均等な角度で傾斜した湾曲傾斜面Ｆ及び傾斜連結部Ｊによって構成されているので、上段に積まれた段ボール箱１の荷重から受ける影響は、筒状体１０の上下中心付近が極僅かに径方向に肥大化すると共に、湾曲傾斜面Ｆ及び傾斜連結部Ｊの鉛直方向からの傾斜度合いが、均等に幾らか増大する程度で済む。その結果、段ボール箱１を３段以上で積載しても横に傾いて崩れる虞が少ない。
【００４７】
〔別実施形態〕
〈１〉横折り曲げ部Ｑの形状は上記実施形態に限らず、例えば、図６に示す種々の変形例にしたがって実施することも可能である。
【００４８】
図６（ａ）に例示する横折り曲げ部Ｑでは、上記の実施形態における左右の単線折り曲げ部６Ｌ，６Ｒが省略されて、左右の２つの二重折り曲げ部７，８がフラップ３（４）の両端に始点を有するように配置されている。
【００４９】
図６（ｂ）の例では、上記の実施形態における左右の２つの二重折り曲げ部７，８どうしが中央単線折り曲げ部６Ｃを介さずに連接されている。
【００５０】
図６（ｃ）の例では、上記の実施形態における左右及び中央の単線折り曲げ部６Ｌ，６Ｃ，６Ｒが省略されて、左右の２つの二重折り曲げ部７，８がフラップ３（４）の両端に始点を有し、且つ、互いに中央単線折り曲げ部６Ｃを介さずに連接されている。
【００５１】
図６（ｄ）の例では、左右の単線折り曲げ部６Ｌ，６Ｒの間に単独の二重折り曲げ部７，８が形成されており、図６（ｅ）の例では、そこから更に左右の単線折り曲げ部６Ｌ，６Ｒが省略され、単独の二重折り曲げ部７，８の左右両端がフラップ３（４）の両端に位置している。
【００５２】
〈２〉上方のフラップと側壁板との間の横折り曲げ部Ｑにのみ、二重折り曲げ部を含む横折り曲げ部Ｑが設けられた形態で実施してもよい。
【産業上の利用可能性】
【００５３】
各種液体等の入った内装袋を収容する段ボール箱（バッグインボックス）に従来見られた課題を解決するための技術として利用可能な発明である。
【符号の説明】
【００５４】
１    段ボール箱
２    側壁板（２Ａ，２Ｂ，２Ｃ，２Ｄ）
３    下部フラップ（３Ａ，３Ｂ，３Ｃ，３Ｄ）
３Ａ  外フラップ
３Ｂ  内フラップ
３Ｃ  外フラップ
３Ｄ  内フラップ
４    上部フラップ（４Ａ，４Ｂ，４Ｃ，５Ｄ）
４Ａ  外フラップ
４Ｂ  内フラップ
４Ｃ  外フラップ
４Ｄ  内フラップ
６    単線折り曲げ部（６Ｃ，６Ｌ，６Ｒ）
７    二重折り曲げ部（７Ｌ，７Ｒ）
８    二重折り曲げ部（８Ｌ、８Ｒ）
１０  筒状本体
Ｆ    湾曲傾斜面（二重折り曲げ部）
Ｇ    機能領域（二重折り曲げ部）
Ｐ    縦折り曲げ部
Ｑ    横折り曲げ部
Ｒ    補助横折り曲げ部（補助折り曲げ部）
Ｔ    仮想境界線（境界線）
ＶＰ  縦向き稜線
ＶＨ  横向き稜線
Ｗ    矩形膨出領域
【図１】
2013136412.tif 000003
【図２】
2013136412.tif 000004
【図３】
2013136412.tif 000005
【図４】
2013136412.tif 000006
【図５】
2013136412.tif 000007
【図６】
2013136412.tif 000008